(57)【要約】【課題】  ユーザに自己の健康状態について注意喚起を促すことができる健康管理システム及びプログラムを提供する。【解決手段】  健康管理システム１０は、ユーザ端末１４から送信されるユーザの識別情報２８と健康診断又は献血の検査成績データ３０とからなる検査情報２２を受信手段１６を介して受信し、受信した識別情報２８と健康診断又は献血の検査成績データ３０に基づいて算出される健康状態を示す指標３２をユーザ端末に１４送信手段を介して送信するものである。これにより、ユーザは、定期的な健康診断に加え、献血の血液検査における実測値の検査成績データも得ることができる。また、ユーザが定期的な健康診断とともに献血を複数回行うことにより、細やかな健康管理を行うことができ、健康状態の指標３２をユーザ端末１４に送信することで、ユーザに自己の健康状態について注意喚起を促すことができる。【選択図】  図３
2020194252.tif 000002
【特許請求の範囲】
【請求項１】
ユーザ端末から送信されるユーザの識別情報と健康診断又は献血の検査成績データを受信手段を介して受信し、受信した識別情報と健康診断又は献血の検査成績データに基づいて算出される健康状態を示す指標をユーザ端末に送信手段を介して送信することを特徴とする健康管理システム。
【請求項２】
サーバに、ユーザ端末から送信されるユーザの識別情報と健康診断又は献血の検査成績データを受信するステップと、受信した識別情報と健康診断又は献血の検査成績データに基づいて健康状態を示す指標を算出するステップと、算出される健康状態を示す指標をユーザ端末に送信するステップとを実行させることを特徴とする健康管理プログラム。
【発明の詳細な説明】
【技術分野】
【０００１】
本発明は、献血者の健康状態の指標（健康度合を示す数値）を提供する健康管理システム及びプログラムに関する。
【背景技術】
【０００２】
現在、病気やケガによる入院や手術などの費用を保障する医療保険の保険料は、通常、年齢・性別によって決められている。一方、日本は、健康寿命が世界一の長寿社会を迎えている。
そこで、年齢・性別以外の指標に基づいて保険料を決めることが検討されている（例えば、特許文献１）。
【先行技術文献】
【特許文献】
【０００３】
【特許文献１】特許第６２６５３５６号
【発明の概要】
【発明が解決しようとする課題】
【０００４】
特許文献１に記載の健康情報提供システムは、ユーザの健康診断の結果から指標決定モデルにしたがいユーザの健康の度合いを示す指標を決定する。健康情報提供システムでは、ユーザが測定した現在の体重や血圧から、予測モデルにしたがいユーザの現在の健康の度合いを予測する。現在の体重や血圧以外の検査項目を用いずに、健康の度合いを予測することから、健康診断と次の健康診断との間の期間においてもユーザは自己の健康の度合い（予測値）を容易に把握することが可能となり、ユーザの日々の健康管理、健康増進に資することができる。
【０００５】
しかし、ユーザに予測値で自己の健康の度合いを示す健康情報提供システムは、現在の体重や血圧以外の検査データ（健診データ）が無くても予測値を得ることができることから、実際の健康状態について、ユーザに注意喚起を促すものでは無かった。
【０００６】
本発明は、上述の問題を解決するものであって、ユーザに自己の健康状態について注意喚起を促すことができる健康管理システム及びプログラムを提供することを目的とする。
【課題を解決するための手段】
【０００７】
本発明の健康管理システムは、ユーザ端末から送信されるユーザの識別情報と健康診断又は献血の検査成績データを受信手段を介して受信し、受信した識別情報と健康診断又は献血の検査成績データに基づいて算出される健康状態を示す指標をユーザ端末に送信手段を介して送信するようにしたものである。
【０００８】
本発明の健康管理プログラムは、サーバに、ユーザ端末から送信されるユーザの識別情報と健康診断又は献血の検査成績データを受信するステップと、受信した識別情報と健康診断又は献血の検査成績データに基づいて健康状態を示す指標を算出するステップと、算出される健康状態を示す指標をユーザ端末に送信するステップとを実行させるようにしたものである。
【発明の効果】
【０００９】
本発明の健康管理システム及びプログラムによると、定期的な健康診断以外の献血からも健診データ（検査成績データ）を得ることができる。これにより、実測値の健診データによる細やかな健康管理を行うことができ、ユーザに自己の健康状態について注意喚起を促すことができる。
また、減少傾向が続く近年の献血者数（のべ人数）及び献血量を増加させることが期待できる。
【図面の簡単な説明】
【００１０】
【図１】本発明の健康管理システムの構成を示す図である。
【図２】本発明の健康管理システムのブロック図である。
【図３】本発明の健康管理プログラムのフロー図である。
【発明を実施するための形態】
【００１１】
本発明の健康管理システム及びプログラムは、実測値の健診データによる細やかな健康管理を実現するものである。
【実施例】
【００１２】
本発明の健康管理システム及びプログラムを図に基づいて説明する。図１は、本発明の健康管理システムの構成を示す図である。図２は、本発明の健康管理システムのブロック図である。図３は、本発明の健康管理プログラムのフロー図である。
本発明の健康管理システムは、ユーザ端末から送信されるユーザの識別情報と健康診断又は献血の検査成績データを受信手段を介して受信し、受信した識別情報と健康診断又は献血の検査成績データに基づいて算出される健康状態を示す指標をユーザ端末に送信手段を介して送信するようにしたものである。
本発明の健康管理プログラムは、サーバに、ユーザ端末から送信されるユーザの識別情報と健康診断又は献血の検査成績データを受信するステップと、受信した識別情報と健康診断又は献血の検査成績データに基づいて健康状態を示す指標を算出するステップと、算出される健康状態を示す指標をユーザ端末に送信するステップとを実行させるようにしたものである。
【００１３】
本発明の健康管理システムの構造を図１に基づいて説明する。
本発明の健康管理システム１０は、インターネット１２上に接続されているサーバである。インターネット１２には、ユーザ端末１４が接続されている。健康管理システム１０とユーザ端末１４は、相互にデータ（情報）の送受信ができるようになっている（図１）。
健康管理システム１０（サーバ）は、ユーザ端末１４から送信されるデータを受信する受信手段１６と、ユーザ端末１４にデータを送信する送信手段１８、ユーザ情報２０と、検査情報２２、健康管理プログラム２４を備えるものである（図２）。健康管理システム１０のＣＰＵは、健康管理プログラム２４を読み込んで実行し、各種データ２０，２２等の情報の加工を行う。
【００１４】
ユーザ情報２０は、健康管理システム１０を利用するユーザの個人情報２６と個人情報２６に付与する識別情報２８である。
個人情報２６は、ユーザ端末１４から健康管理システム１０に送信される情報であって、ユーザの氏名、年齢（又は生年月日）、性別、Ｅmailアドレスなどの情報である。
【００１５】
識別情報２８は、ユーザ端末１４から受信する個人情報２６に付与する情報であって、ユーザを特定するデータ（例えば、ユーザＩＤ）である。付与された識別情報２８は、健康管理システム１０からユーザ端末１４に送信される。
【００１６】
ユーザ端末１４は、ユーザが保有するコンピュータ（たとえば、ＰＣ、スマートフォン、タブレット端末等）である。ユーザ端末１４には、健康診断や献血により通知される検査成績（書面）に記載の検査成績データ３０を読み取ることができるアプリケーションプログラムがインストールされているものとする。また、健康管理システム１０から送信されるデータを受信し記憶する機能を有しているものとする（図１）。
【００１７】
検査情報２２は、ユーザ端末１４から送信されるユーザの識別情報２８と健康診断又は献血の検査成績データ３０である。
検査成績データ４６とは、健康診断又は献血を行ったユーザに対し通知（郵送）される生化学検査（書面）などに記載された検査成績をユーザ端末１４で読み取りデータ化したものである（図１）。識別情報４２及び検査成績データ４６により、ユーザが健康診断又は献血を行ったこと及び健康診断時又は献血時の健康状態を知ることができる。
【００１８】
識別情報２８と健康診断又は献血の検査成績データ３０（すなわち検査情報２２）に基づいて算出される健康状態を示す指標３２とは、健康診断又は献血したユーザ（識別情報２８を有するユーザ）の健康状態の良し悪しを数値化（見える化）したものである。
たとえば、検査成績データ３０が正常値の範囲内であるときは「０（ゼロ）」、正常値の範囲を超える場合は「＋（プラス）」の数値もしくは「−（マイナス）」の数値で表わす。
また、健康診断又は献血したユーザの健康診断及び献血による検査回数は、健康に十分な注意を払っていると評価できる。この場合は、献血回数を数値化し、その数値を上記検査成績データ４６に基づく数値（「＋」又は「−」の数値）に加算する。たとえば、検査成績データ４６に基づく数値が「＋」の場合、「−」の数値を加算し、「０」に近づくようにする。
なお、健康状態の良し悪しの見える化は、上記数値化に限るものではなく、他の表現を用いてもよい。
【００１９】
ユーザ端末１４に送信される指標３２は、ユーザ端末１４に記憶される。指標３２を受け取るユーザは、健康診断や献血を受ける度に指標３２から自己の現在の健康状態の良し悪しを知ることができる。また、受け取った指標３２に変化がある場合は、現在の健康状態の変化を自ら把握することができる。これにより、目標を持って次回の健康診断や献血を受けるようになることが期待でき、自発的な健康改善意欲を持たせることができる。
以上のように、健康管理システム１０を活用するユーザは、実測値の健診データによる細やかな健康管理を行うことができ、ユーザに自己の健康状態について注意喚起を促すことができる。
【００２０】
本発明の健康管理プログラム２４は、健康管理システム１０（サーバ）が、ユーザ端末１４から送信される個人情報４０を受信するステップＳ１と、受信する個人情報４０を記憶するステップＳ２と、記憶する個人情報４０に識別情報４４を付与するステップＳ３と、付与された識別情報４４を記憶するステップＳ４と、付与された識別情報４４をユーザ端末１４に送信するステップＳ５とを実行した後、スタートする（図３）。
健康管理プログラム２４は、サーバ１０に、ユーザ端末から送信されるユーザの識別情報と健康診断又は献血の検査成績データを受信するステップＳ６と、受信した識別情報と健康診断又は献血の検査成績データに基づいて健康状態を示す指標を算出するステップＳ７と、算出される健康状態を示す指標をユーザ端末に送信するステップＳ８とを実行させるようにしたものである（図３）。
【００２１】
本発明の健康管理システム１０及びプログラム２４により、ユーザは、定期的な健康診断に加え、献血の血液検査（生化学検査など）における実測値の健診データ（検査成績データ）も得ることができる。また、ユーザが定期的な健康診断とともに献血を複数回行うことにより、細やかな健康管理を行うことができ、健康状態の指標３２をユーザ端末１４に送信することで、ユーザに自己の健康状態について注意喚起を促すことができる。
さらに、ユーザに自己の健康状態について注意喚起を促すことにより、減少傾向が続く近年の献血者数（のべ人数）及び献血量を増加させることが期待できる。
【００２２】
健康管理システム１０に、健康管理システム１０を利用する医療保険会社、生命保険会社の情報からなる付帯情報３４を備えてもよい。また、健康管理プログラム２４に、付帯情報３４をユーザ端末１４に送信するステップＳ９を設けてもよい。これにより、ユーザに、医療保険会社、生命保険会社等のサービスについて検討させる機会を与えることができ、また、健康状態を示す指標３２に基づいたサービスを受けられることが期待できる。
【符号の説明】
【００２３】
１０  健康管理システム（サーバ）
１４  ユーザ端末
１６  受信手段
１８  送信手段
２４  健康管理プログラム
２８  識別情報
３０  検査成績データ
３２  指標
【図１】
2020194252.tif 000003
【図２】
2020194252.tif 000004
【図３】
2020194252.tif 000005